(57)【要約】【課題】装飾部材が欠けたり脱落するのを抑制しながら、装飾性を向上し得る装飾構造、及び、その装飾構造が配設された家電機器を提供する。【解決手段】装飾用基材４０の表面が凹凸状に形成され、装飾用基材４０の凹凸状表面４２に形成される凹部４１が、装飾用基材４０の基材厚さ方向Ｙにおいて装飾用基材４０の表面側ほど拡がる形態に形成され、装飾部材３０を凹部４１内に配置させた状態で、基材厚さ方向Ｙにおける装飾部材３０の少なくとも頂部３０ｔ側の一部分を、基材厚さ方向Ｙにおける凹部４１の最も窪んだ部位４１ｂと当該凹部４１の周囲の凸部４４における最も突出した部位４４ｔとの間に位置させ、且つ、基材厚さ方向Ｙにおける断面視で凹凸状表面４２に対して離間させてなる。【選択図】図４
2014226782.tif 000002
【特許請求の範囲】
【請求項１】
光透過性の装飾部材が、装飾対象物の外郭の少なくとも一部を構成する装飾用基材の表面に露出する状態で、当該装飾用基材に配置されてなる装飾構造であって、
前記装飾用基材の表面が凹凸状に形成され、
当該装飾用基材の凹凸状表面に形成される凹部が、前記装飾用基材の厚さ方向である基材厚さ方向において前記装飾用基材の表面側ほど拡がる形態に形成され、
前記装飾部材を前記凹部内に配置させた状態で、前記基材厚さ方向における前記装飾部材の少なくとも頂部側の一部分を、前記基材厚さ方向における前記凹部の最も窪んだ部位と当該凹部の周囲の凸部における最も突出した部位との間に位置させ、且つ、前記基材厚さ方向における断面視で前記凹凸状表面に対して離間させてなる装飾構造。
【請求項２】
前記装飾部材を、前記凹部の前記最も窪んだ部位に配置させてなる請求項１に記載の装飾構造。
【請求項３】
前記凹部における前記最も窪んだ部位に、前記基材厚さ方向に貫通する装飾部材挿通孔が設けられ、
前記装飾部材が、前記装飾用基材の裏面側から前記装飾部材挿通孔に挿通される本体部と、当該本体部の基端部から前記基材厚さ方向に交差する方向に張り出す張り出し部とを備えて構成され、
前記装飾部材が、前記本体部が前記装飾用基材の裏面側から前記装飾部材挿通孔に挿通され、且つ、前記張り出し部が前記装飾用基材の裏面側と固定用台部との間で挟持された状態で、前記装飾用基材に配置されてなる請求項１又は２に記載の装飾構造。
【請求項４】
前記凹部が前記凹凸状表面に複数形成され、複数の前記凹部夫々における前記最も窪んだ部位に、前記装飾部材挿通孔が設けられ、
複数の前記本体部が複数の前記装飾部材挿通孔に各別に挿通可能に配置された状態で、複数の前記本体部における前記張り出し部の夫々が連結されることにより、複数の前記凹部に対応する複数の前記装飾部材が一体的に連結されて、装飾部材連結体が構成されている請求項３に記載の装飾構造。
【請求項５】
複数の前記凸部が、前記凹凸状表面に格子状に形成され、
格子の各格子目に形成される各凸部の表面が、当該格子目の対角に位置する格子点同士の間において、当該格子点同士の中央で前記基材厚さ方向の表面側に最も膨出するように形成され、
複数の前記凹部が、夫々が前記格子の各格子点の周囲に位置する４つの前記凸部により形成される形態で、前記凹凸状表面に格子状に形成されている請求項４に記載の装飾構造。
【請求項６】
前記装飾部材の前記基材厚さ方向における頂部側とは反対側の端面に、光を反射する反射部が設けられている請求項１〜５のいずれか１項に記載の装飾構造。
【請求項７】
請求項１〜６のいずれか１項に記載の装飾構造が、前記外殻の少なくとも一部に配設されている前記装飾対象物としての家電機器。
【発明の詳細な説明】
【技術分野】
【０００１】
本発明は、光透過性の装飾部材が、装飾対象物の外郭の少なくとも一部を構成する装飾用基材の表面に露出する状態で、当該装飾用基材に配置されてなる装飾構造、及び、その装飾構造が配設された家電機器に関する。
【背景技術】
【０００２】
かかる装飾構造は、装飾対象物の外郭に設けるものであり、光が装飾部材を透過したり、その装飾部材の外面で反射することにより、装飾部材が輝いて、装飾対象物の外郭を装飾するものである。装飾部材としては、例えば、所謂ラインストーン等が用いられる。ちなみに、ラインストーンは、光透過性の樹脂やガラス製のダイヤモンドの模造品である。
又、装飾対象物の例としては、加湿器、電気ケトル、電気ポット等の家電機器、マグボトル等の飲料用容器、携帯電話等が挙げられる。
【０００３】
このような装飾構造において、従来、下記の構造が提案されている。
即ち、装飾部材が装飾用基材の表面に接着された装飾構造が提案されている（例えば、特許文献１参照。）。
又、装飾用基材の表面に、当該表面から垂直に窪む凹部が形成され、装飾部材が、その頂部側の一部分が装飾用基材の表面から突出する状態で凹部に接着され、装飾用基材の表面に透明のコーティング層が設けられた装飾構造も提案されている（例えば、特許文献２参照。）。
【０００４】
つまり、特許文献１では、装飾部材全体を装飾用基材の表面から突出させ、特許文献２では、装飾部材の頂部側の一部分を装飾用基材の表面から突出させることにより、いずれも、装飾部材が光を受け易いようにして、装飾部材の輝きを増大させることにより、装飾性を高めている。
又、特許文献２では、装飾部材の頂部側の一部分を装飾用基材の表面から突出させていることから、装飾部材が欠けたり脱落するのを防止するために、装飾用基材の表面にコーティング層が設けられている。
【先行技術文献】
【特許文献】
【０００５】
【特許文献１】実用新案登録第３１６４０７１号公報
【特許文献２】特開２００９−９０７４６号公報
【発明の概要】
【発明が解決しようとする課題】
【０００６】
ここで、装飾用基材は、装飾対象物の外郭の少なくとも一部を構成するものであるので、使用者の手指や他物が装飾用基材の表面に接触し易い。
この点、特許文献１の装飾構造では、装飾部材全体が装飾用基材の表面から突出した状態で露呈しているので、装飾部材が欠けたり脱落し易い。
一方、特許文献２の装飾構造では、装飾用基材の表面に設けられたコーティング層により、手指や他物が装飾部材に接触するのが防止されるので、装飾部材が欠けたり脱落したりするのを抑制することができる。
しかしながら、装飾部材がコーティング層で覆われているため、コーティング層による光の反射や屈折により、装飾部材がクリアに見えにくくなり、又、装飾部材の輝きも低下するので、装飾性を十分に向上することができない。更に、近年は、装飾性を十分に向上させたデザインが要望されている。
【０００７】
本発明は、かかる実情に鑑みてなされたものであり、その目的は、装飾部材が欠けたり脱落するのを抑制しながら、装飾性を向上し得る装飾構造、及び、その装飾構造が配設された家電機器を提供することにある。
【課題を解決するための手段】
【０００８】
上記目的を達成するための本発明に係る装飾構造は、光透過性の装飾部材が、装飾対象物の外郭の少なくとも一部を構成する装飾用基材の表面に露出する状態で、当該装飾用基材に配置されてなる装飾構造であって、その特徴構成は、
前記装飾用基材の表面が凹凸状に形成され、
当該装飾用基材の凹凸状表面に形成される凹部が、前記装飾用基材の厚さ方向である基材厚さ方向において前記装飾用基材の表面側ほど拡がる形態に形成され、
前記装飾部材を前記凹部内に配置させた状態で、前記基材厚さ方向における前記装飾部材の少なくとも頂部側の一部分を、前記基材厚さ方向における前記凹部の最も窪んだ部位と当該凹部の周囲の凸部における最も突出した部位との間に位置させ、且つ、前記基材厚さ方向における断面視で前記凹凸状表面に対して離間させてなる
点にある。
【０００９】
上記特徴構成によれば、装飾部材を装飾用基材の凹凸状表面の凹部内に配置させた状態では、装飾部材における基材厚さ方向の少なくとも頂部側の一部分が、基材厚さ方向における凹部の最も窪んだ部位と当該凹部の周囲の凸部における最も突出した部位との間に位置している、換言すれば、装飾部材の頂部が、当該装飾部材が配置された凹部の周囲の凸部における最も突出した部位よりも低くなっている。従って、装飾用基材の表面に手指や他物が接触しても、手指や他物が装飾部材に接触するのを十分に抑制することができるので、装飾部材が欠けたり脱落したりするのを十分に抑制することができる。
又、装飾部材を装飾用基材の凹凸状表面の凹部内に配置させた状態では、装飾部材における基材厚さ方向の少なくとも頂部側の一部分が、基材厚さ方向における断面視で凹凸状表面に対して離間している、即ち、装飾部材における基材厚さ方向の少なくとも頂部側の一部分の外面が全周にわたって凹凸状表面から離間している。しかも、凹部は、基材厚さ方向において装飾用基材の表面側ほど拡がる形態である。従って、凹部内に光が入り易く、又、装飾部材における凹凸状表面から離間している少なくとも頂部側の一部分が光を受け易いため、装飾部材の輝きを増大させることができるので、装飾性を高めることができる。
【００１０】
ここで、装飾構造の装飾性を向上する際、装飾部材を装飾用基材に配置するのに加えて、装飾用基材の表面を装飾のために凹凸状に形成するが、このような装飾用の凹凸状表面により装飾性を向上するには、凹凸の高低差を比較的大きくして、凹凸を明瞭にするのが好ましい。
一方、装飾部材は、通常、粒状で形状が小さいものであり、従って、比較的高さが低くなる。
【００１１】
本特徴構成では、装飾部材を装飾用基材の凹部内に配置させる際、装飾部材の頂部が当該装飾部材が配置された凹部の周囲の凸部における最も突出した部位よりも低くなる条件で、装飾部材を装飾用基材の凹部内に配置させるので、凹部の最も窪んだ部位に対する周囲の凸部の最も突出した部位の高さに制約をなくすことができる。従って、装飾用基材の表面に、高低差が比較的大きい装飾用の凹凸を形成し易く、このことによっても、装飾性を高めることができる。
尚、上記の特許文献２のように、装飾部材の頂部側の一部分が装飾用基材の表面から突出する条件で、当該表面から垂直に窪む凹部内に配置させる場合、高さが低い装飾部材の頂部側の一部分を装飾用基材の表面から突出させるためには、凹部の最も窪んだ部位に対する装飾用基材の表面の最も突出した部位の高さを大きくすることが困難となり、装飾用基材の表面に、高低差が比較的大きい装飾用の凹凸を形成し難くなる。
よって、本特徴構成では、装飾部材が欠けたり脱落するのを抑制しながら、装飾性を向上し得る装飾構造を提供することができる。
【００１２】
本発明に係る装飾構造の更なる特徴構成は、前記装飾部材を、前記凹部の前記最も窪んだ部位に配置させてなる点にある。
【００１３】
上記特徴構成によれば、装飾部材を凹部の最も窪んだ部位に配置するので、手指や他物が装飾部材に接触するのを一層抑制することができる。
更に、装飾部材における凹凸状表面から離間している少なくとも頂部側の一部分が光を受け易い。
従って、装飾部材が欠けたり脱落するのを一層抑制することができ、又、装飾性を一層向上することができる。
【００１４】
本発明に係る装飾構造の更なる特徴構成は、前記凹部における前記最も窪んだ部位に、前記基材厚さ方向に貫通する装飾部材挿通孔が設けられ、
前記装飾部材が、前記装飾用基材の裏面側から前記装飾部材挿通孔に挿通される本体部と、当該本体部の基端部から前記基材厚さ方向に交差する方向に張り出す張り出し部とを備えて構成され、
前記装飾部材が、前記本体部が前記装飾用基材の裏面側から前記装飾部材挿通孔に挿通され、且つ、前記張り出し部が前記装飾用基材の裏面側と固定用台部との間で挟持された状態で、前記装飾用基材に配置されてなる点にある。
【００１５】
上記特徴構成によれば、装飾部材の本体部に手指や他物が接触して、装飾部材に対して、装飾部材挿通孔から抜けるように作用する力が加わっても、装飾用基材の裏面と固定用台部との間で挟持された張り出し部により、装飾部材が装飾部材挿通孔から抜けるのが十分に抑制される。又、装飾部材を装飾用基材における所望の箇所に容易に配置することができる。
従って、装飾部材が脱落するのを十分に抑制することができる。
【００１６】
本発明に係る装飾構造の更なる特徴構成は、前記凹部が前記凹凸状表面に複数形成され、複数の前記凹部夫々における前記最も窪んだ部位に、前記装飾部材挿通孔が設けられ、
複数の前記本体部が複数の前記装飾部材挿通孔に各別に挿通可能に配置された状態で、複数の前記本体部における前記張り出し部の夫々が連結されることにより、複数の前記凹部に対応する複数の前記装飾部材が一体的に連結されて、装飾部材連結体が構成されている点にある。
【００１７】
上記特徴構成によれば、装飾用基材の凹凸状表面に複数の凹部が形成され、それら複数の凹部夫々の最も窪んだ部位に装飾部材が配置されるので、複数の装飾部材によって、装飾性を一段と向上することができる。
しかも、複数の凹部に対応する複数の装飾部材が一体的に連結されて、装飾部材連結体として構成されているので、装飾用基材の裏面側の所定位置に装飾部材連結体を配設することにより、複数の凹部の装飾部材挿通孔に複数の本体部を各別に挿通させた状態に、複数の装飾部材を一挙に配置できることとなる。
従って、複数の凹部夫々に装飾部材を配置する作業を簡略化して、コストダウンを図ることができるので、低廉化を図りながら、装飾性を一段と向上することができる。
【００１８】
本発明に係る装飾構造の更なる特徴構成は、複数の前記凸部が、前記凹凸状表面に格子状に形成され、
格子の各格子目に形成される各凸部の表面が、当該格子目の対角に位置する格子点同士の間において、当該格子点同士の中央で前記基材厚さ方向の表面側に最も膨出するように形成され、
複数の前記凹部が、夫々が前記格子の各格子点の周囲に位置する４つの前記凸部により形成される形態で、前記凹凸状表面に格子状に形成されている点にある。
【００１９】
上記特徴構成によれば、装飾用基材の表面に複数の凸部が格子状に形成され、そのように複数の凸部が格子状に並ぶ格子の各格子点の周りの４つの凸部により、凹部が形成される。これにより、装飾用基材の表面に装飾用の凹凸が格子状に設けられ、各凹部における最も窪んだ部位に位置する装飾部材挿通孔に本体部が挿通された状態で、装飾部材が配置される。
そして、凹部の最も窪んだ部位とその周囲の凸部の最も突出した部位との高低差、即ち、凹凸の高低差を比較的大きくすることができるので、装飾用基材の表面に、高低差が比較的大きい装飾用の凹凸を格子状に設けることができる。
従って、装飾用基材の表面に装飾用の格子状の凹凸が明瞭に設けられると共に、各凹部に装飾部材が配置されるので、装飾性を一段と向上することができる。
【００２０】
本発明に係る装飾構造の更なる特徴構成は、前記装飾部材の前記基材厚さ方向における頂部側とは反対側の端面に、光を反射する反射部が設けられている点にある。
【００２１】
上記特徴構成によれば、装飾部材に入射した光が反射部にて反射して、再度、装飾部材に入射すると共に、反射部も輝くこととなるので、装飾部材の輝きを一段と増大させることができる。
従って、装飾性を一段と高めることができる。
【００２２】
上記目的を達成するための本発明に係る前記装飾対象物としての家電機器の特徴構成は、上記特徴構成のいずれかに記載の装飾構造が、前記外殻の少なくとも一部に配設されている点にある。
【００２３】
上記特徴構成によれば、家電機器の外殻の少なくとも一部に、上記特徴構成のいずれかに記載の装飾構造が配設されているので、装飾部材が欠けたり脱落したりするのを抑制することができ、又、装飾部材の輝きを増大させて、装飾性を高めることができる。
従って、装飾部材が欠けたり脱落するのを抑制しながら、装飾性を向上し得る家電機器を提供することができる。
【図面の簡単な説明】
【００２４】
【図１】外郭に装飾構造が配設された加湿器の外観を示す斜視図
【図２】外郭に装飾構造が配設された加湿器の分解斜視図
【図３】外郭に装飾構造が配設された加湿器の縦断正面図
【図４】装飾構造の詳細を示す図
【図５】装飾構造の正面側から見た分解斜視図
【図６】装飾構造の裏面側から見た分解斜視図
【図７】別実施形態に係る装飾構造の縦断面図
【図８】別実施形態に係る装飾構造の縦断面図
【図９】別実施形態に係る装飾構造の縦断面図
【図１０】別実施形態に係る装飾構造の縦断面図
【発明を実施するための形態】
【００２５】
以下、図面に基づいて、本発明を加湿器（家電機器の一例）Ｈの装飾構造に適用した場合の実施形態を説明する。
図１〜図３に示すように、この加湿器Ｈは、概ね有底四角筒状の外装ケース１００と、その外装ケース１００の上部の開口部２を開閉自在な蓋体２００とを備えて構成され、外装ケース１００の内部に、加熱対象の水（液体の一例）Ｗを貯留する有底円筒状の貯留容器１が備えられている。蓋体２００は、外装ケース１００の開口部２の開口縁部に設けられたヒンジ部３に揺動自在に支持されて、ヒンジ部３を揺動軸心とする揺動操作により、外装ケース１００の開口部２を開閉自在に構成されている。
【００２６】
図１に示すように、外装ケース１００の四側面のうちの一側面（正面）に、本発明に係る装飾構造Ｄが設けられている。
そして、この装飾構造Ｄは、光透過性の装飾部材３０が、加湿器Ｈの四側面のうちの一側面を構成する装飾用基材４０の表面に露出する状態で、当該装飾用基材４０に配置されてなる構成となっている。
尚、外装ケース１００の四側面のうち、装飾構造Ｄが設けられた一側面に対向する一側面（裏面）には、装飾構造Ｄに用いられるのと同様に、表面に複数の四角台状凸部４４が格子状に設けられた装飾用基材４０（詳細は後述する）が、装飾部材３０が配置されることなく設けられ、残りの二側面（左右の両側面）は、平面状に構成されている。
【００２７】
先ず、加湿器Ｈについて、説明を加える。
図３に示すように、外装ケース１００は、概ね有底四角筒状のケース本体４の口縁部に概ね四角枠状の口縁部材５を嵌め込むと共に、その口縁部材５に貯留容器１を吊り下げ支持して構成され、口縁部材５により外装ケース１００の開口部２が形成されている。
この外装ケース１００内には、貯留容器１内の水Ｗを加熱する電熱ヒータ６、その電熱ヒータ６を貯留容器１の外面との間で挟持固定するヒータ押さえ板７、貯留容器１の底部の外面の温度を貯留容器１内の水Ｗの温度として検出する温度センサ８（例えば、サーミスタ）、この温度センサ８の検出温度が加熱停止用設定温度以上になると、電熱ヒータ６への通電を遮断する制御部９、及び、貯留容器１からの伝熱により加熱停止用設定温度よりも高く設定された過熱防止用設定温度以上に加熱されると電熱ヒータ６への通電を遮断する温度ヒューズ１３が設けられている。
図１及び図２に示すように、更に、外装ケース１００の側面部には、制御部９に運転制御情報を送信する操作部１０が設けられ、外装ケース１００の上部には、把手１１が設けられている。
【００２８】
更に、ヒータ押さえ板７における電熱ヒータ６の側とは反対側（下方側）に、ヒータ押さえ板７を覆う遮熱板１２が設けられている。
この遮熱板１２は、ヒータ押さえ板７の下方を広範囲にわたって覆うように構成されている。
【００２９】
図１及び図２に示すように、操作部１０は、複数のシート状のスイッチを備えたパネル式に構成されて、ケース本体４の側周面に設けられている。操作部１０に備えられた複数のスイッチには、加湿器Ｈの運転及び停止を指令する運転スイッチ１０ａ等が含まれる。
【００３０】
次に、蓋体２００について説明を加える。
図２及び図３に示すように、蓋体２００には、下方に凹んだ形態で蒸気流路２１が設けられると共に、その蒸気流路２１の上部の開口部を覆う状態で装着される蒸気口カバー２２が着脱自在に設けられ、更に、蓋体２００における蒸気流路２１を形成する側壁部には、蓋側吸引口２３が設けられている。蒸気口カバー２２は、碁盤目状にリブを備えた格子状に構成されて、通気可能に構成されている。
又、蓋体２００には、その上方から操作可能な状態で、蓋体２００を開閉操作するための蓋開閉レバー２４、及び、蓋体２００を閉じ状態に保持するためのロックノブ２５が設けられている。
【００３１】
図２に示すように、蓋体２００には、更に、蒸気噴出ノズル２６及び還流部２７が設けられている。
蒸気噴出ノズル２６は、可撓性を有するチューブにて構成され、蓋体２００が外装ケース１００に閉じ状態で装着された状態で、一端開口部が貯留容器１内に連通し且つ他端開口部が蒸気流路２１内に臨む状態となるように設けられている。還流部２７は、図示を省略するが、蓋体２００が外装ケース１００に閉じ状態で装着された状態で、貯留容器１内と蒸気流路２１とを連通する状態になる還流孔と、その還流孔を開閉する還流弁とを備えて構成されている。
【００３２】
外装ケース１００の上端部には、その開口部２に蓋体２００が閉じ状態で装着された状態で、蓋体２００の蓋側吸引口２３に連通するケース側吸引口２８が設けられている。
【００３３】
蓋体２００が外装ケース１００に閉じ状態で装着された状態で、貯留容器１に貯留された水Ｗの水面Ｗｓと蓋体２００の下面との間に所定の容積の空間が形成されるように、貯留容器１における水Ｗの最大貯留容量が設定されている。
そして、図３に示すように、貯留容器１に最大貯留容量以下の容量で水Ｗを貯留して、蓋体２００を外装ケース１００に閉じ状態で装着すると、貯留容器１内における水面Ｗｓの上方には、蓋体２００により閉じられた蒸気充満空間２９が形成される。還流部２７を構成する還流弁は、電熱ヒータ６による加熱により貯留容器１内の水Ｗが沸騰し蒸気が発生して、蒸気充満空間２９の内圧が上昇するのに伴って、還流孔を閉じ、一方、電熱ヒータ６への通電が停止して、貯留容器１内での蒸気の発生が停止して、蒸気充満空間２９の内圧が低下するのに伴って、自重で還流孔を開くように構成されている。
【００３４】
従って、電熱ヒータ６の加熱により、貯留容器１に貯留されている水Ｗが沸騰して蒸気が発生すると、蒸気は、蒸気充満空間２９に充満すると共に、蒸気噴出ノズル２６を通って蒸気流路２１内に噴出し、蒸気口カバー２２の複数の孔を通過して加湿対象空間（外部）に放出される。
【００３５】
次に、制御部９の制御動作について説明する。
図示を省略するが、電熱ヒータ６への通電の断続や、電熱ヒータ６への供給電力の調整等、電熱ヒータ６の加熱作動を制御するヒータ駆動部が設けられている。制御部９は、マイクロコンピュータを用いて構成され、ヒータ駆動部の作動を制御することにより、電熱ヒータ６の加熱作動を制御するように構成されている。
そして、制御部９は、操作部１０の運転スイッチ１０ａにより加湿運転の開始が指令されると、電熱ヒータ６を加熱作動させる加湿運転を開始し、運転スイッチ１０ａにより加湿運転の停止が指令されると、電熱ヒータ６の加熱作動を停止して加湿運転を停止する。
【００３６】
制御部９は、加湿運転では、操作部１０の運転スイッチ１０ａにより加湿運転の開始が指令された後、温度センサ８の検出温度が所定の加湿用温度（例えば、９４℃）に達するまでの昇温過程では、電熱ヒータ６へ所定の電力を供給すべくヒータ駆動部（図示省略）の作動を制御し、温度センサ８の検出温度が加湿用温度を越えた後の加湿過程では、所定のデューティー比で電熱ヒータ６への通電を断続すべく、ヒータ駆動部の作動を制御する。
【００３７】
又、制御部９は、加湿運転中に、温度センサ８の検出温度が加湿用温度よりも高温に設定される加熱停止用設定温度以上になると、電熱ヒータ６への通電を遮断すべく、ヒータ駆動部の作動を制御する。
【００３８】
次に、装飾構造Ｄについて説明する。
図４に示すように、本発明の装飾構造Ｄは、装飾用基材４０の表面が凹凸状に形成され、当該装飾用基材４０の凹凸状表面４２に形成される凹部４１が、当該装飾用基材４０の厚さ方向である基材厚さ方向Ｙにおいて装飾用基材４０の表面側ほど拡がる形態に形成され、装飾部材３０を凹部４１内に配置させた状態で、基材厚さ方向Ｙにおける装飾部材３０の少なくとも頂部３０ｔ側の一部分を、基材厚さ方向Ｙにおける凹部４１の最も窪んだ部位４１ｂと当該凹部４１の周囲の凸部４４における最も突出した部位４４ｔとの間に位置させ、且つ、基材厚さ方向Ｙにおける断面視で凹凸状表面４２に対して離間させて構成されている。
【００３９】
この実施形態では、装飾部材３０を、装飾用基材４０の凹部４１の最も窪んだ部位４１ｂに配置させている。
又、凹部４１における最も窪んだ部位４１ｂに、基材厚さ方向Ｙに貫通する装飾部材挿通孔４３が設けられ、装飾部材３０が、装飾用基材４０の裏面側から装飾部材挿通孔４３に挿通される本体部３１と、当該本体部３１の基端部から基材厚さ方向Ｙに直交する基材面方向Ｘに張り出す張り出し部３２とを備えて構成されている。
そして、装飾部材３０が、本体部３１が装飾用基材４０の裏面側から装飾部材挿通孔４３に挿通され、且つ、張り出し部３２が装飾用基材４０の裏面側と固定用台部５０との間で挟持された状態で、装飾用基材４０に固着されている。
又、装飾部材３０の基材厚さ方向Ｙにおける頂部３０ｔ側とは反対側の端面に、光を反射する反射シート６０（反射部の一例）が設けられている。
【００４０】
又、図４及び図５に示すように、この実施形態では、凹部４１が凹凸状表面４２に複数形成され、複数の凹部４１夫々における最も窪んだ部位４１ｂに、装飾部材挿通孔４３が設けられ、複数の本体部３１が複数の装飾部材挿通孔４３に各別に挿通可能に配置された状態で、複数の本体部３１における張り出し部３２の夫々が連結されることにより、複数の凹部４１に対応する複数の装飾部材３０が一体的に連結されて、装飾部材連結体３００が構成されている。
反射シート６０は、少なくとも２個以上の装飾部材３０の基端面を覆うことが可能な広さに構成されて、少なくとも２個以上の装飾部材３０に対して、１枚の反射シート６０が設けられる構成となっている。
【００４１】
装飾用基材４０及び装飾部材連結体３００は、夫々、樹脂成型加工により製作される。装飾部材連結体３００の成型用の樹脂としては、アクリルやポリカーボネイト等、透明性に優れた樹脂が用いられ、装飾用基材４０の成型用の樹脂としては、ＡＢＳやポリプロピレン等、不透明な樹脂が用いられる。
又、反射シート６０は、アルミ箔にて構成されている。
【００４２】
装飾構造Ｄについて、更に説明を加える。
図１に示すように、有底四角筒状のケース本体４の外形は、四つの側面を備えた概略立方体形状であり、図５に示すように、固定用台部５０は、このケース本体４の一側面を形成する略正方形状の側壁部４Ｗにより構成され、装飾用基材４０は、側壁部４Ｗと略同形状の正方形板状に構成されている。
図４及び図５に示すように、この装飾用基材４０の凹凸状表面４２に、基材厚さ方向Ｙ視において正方形状で且つ概略球冠状の複数の四角台状凸部４４（凸部の一例）が格子状に形成されている。
図４に示すように、格子の各格子目に形成される各四角台状凸部４４の表面が、当該格子目の対角に位置する格子点Ｐ同士の間において、当該格子点Ｐ同士の中央で基材厚さ方向Ｙの表面側に最も膨出するように形成されている。説明を加えると、各四角台状凸部４４の表面が、当該格子目の対角に位置する格子点Ｐ同士の間の夫々において、基材厚さ方向Ｙに直交する基材面方向Ｘでの幅が基材厚さ方向Ｙの表面側ほど狭くなる状態で、基材厚さ方向Ｙの表面側に膨出する形態に形成されている。尚、「基材面方向Ｘでの幅」とは、四角台状凸部４４における基材面方向Ｘでの切断面の幅である。又、複数の四角台状凸部４４夫々の最も突出した部位４４ｔの高さは、同一である。
【００４３】
そして、複数の凹部４１が、夫々が格子の各格子点Ｐの周囲に位置する４つの四角台状凸部４４により、各格子点Ｐを最も窪んだ部位４１ｂとして形成される形態で、凹凸状表面４２に格子状に形成され、各格子点Ｐである最も窪んだ部位４１ｂに、装飾部材挿通孔４３が設けられている。尚、装飾用基材４０の凹凸状表面４２に形成される複数の凹部４１夫々の最も窪んだ部位４１ｂにおける基材厚さ方向Ｙでの位置は、同一である。
【００４４】
尚、図４（ａ）は、格子目の２つの対角線のうちの一方の対角線を通るＩＶａ−ＩＶａ矢視での四角台状凸部４４の表面の形状を示すが、他方の対角線を通る矢視での四角台状凸部４４の表面の形状も、ＩＶａ−ＩＶａ矢視での形状と同様である。
つまり、四角台状凸部４４と凹部４１とが交互になる状態で、複数の四角台状凸部４４及び複数の凹部４１が設けられている。
又 、図示を省略するが、装飾用基材４０の凹凸状表面４２における格子線に対応する部分、即ち、隣接する四角台状凸部４４同士で共通の辺部に対応する部分は、装飾用基材４０の平面状の裏面と略平行になるように窪み形成されている。
【００４５】
図４及び図５に示すように、この実施形態では、装飾用基材４０の凹凸状表面４２に形成される複数の凹部４１のうちの一部の複数の凹部４１に対して、装飾部材挿通孔４３が形成されて、その装飾部材挿通孔４３を用いて装飾部材３０が配置されている。尚、図４において、図面上の左側の凹部４１に対して、装飾部材挿通孔４３が形成され、右側の凹部４１に対しては、装飾部材挿通孔４３が形成されておらず、装飾部材３０も配置されていない。
そして、図４に示すように、装飾部材挿通孔４３が設けられた凹部４１において、最も窪んだ部位４１ｂは、装飾部材挿通孔４３が存在しないと仮定したときの凹凸状表面４２（一点鎖線にて示す）における最も深い部位、即ち、格子点Ｐに位置している。
【００４６】
この実施形態では、図４に示すように、装飾用基材４０の凹凸状表面４２は、装飾部材挿通孔４３の開口縁が凹部４１の最も窪んだ部位４１ｂよりも高い部位に位置する状態となる形態で形成されている。
つまり、装飾用基材４０において、装飾部材挿通孔４３の開口縁に対応する部分では所定の厚さを有する状態となるように構成されている。
【００４７】
ちなみに、図４及び図５に示すように、四角台状凸部４４と凹部４１とが交互になる状態で、複数の四角台状凸部４４及び複数の凹部４１が格子状に並ぶ格子の格子線は、正方形状の装飾用基材４０の各辺部に対して４５°傾斜するように設定されている。
このように複数の凹部４１が格子状に設けられることにより、この実施形態では、装飾用基材４０に、５個の凹部４１が並ぶ凹部列と４個の凹部４１が並ぶ凹部列とが互い違いになる形態で、横方向及び上下方向に夫々９列の凹部列が設けられている。尚、基材厚さ方向Ｙ視において、上端、下端、左端及び右端の夫々の凹部列は、５個の凹部４１が並ぶ凹部列になっている。
【００４８】
そして、図１及び図５に示すように、上端及び下端夫々の５個の凹部４１が並ぶ凹部列については、５個の凹部４１夫々に装飾部材３０が配置され、上から２番目及び下から２番目夫々の４個の凹部４１が並ぶ凹部列については、４個の凹部４１夫々に装飾部材３０が配置されている。
又、上から３番目及び下から３番目夫々の５個の凹部４１が並ぶ凹部列については、左端及び右端の２個の凹部４１夫々に装飾部材３０が配置され、上下方向の中央の５個の凹部４１が並ぶ凹部列については、左端及び右端の２個の凹部４１夫々に装飾部材３０が配置されている。
つまり、複数の装飾部材３０が並ぶ装飾部材列が上下方向に７列設けられている。
【００４９】
そして、図５及び図６に示すように、上端の装飾部材列の５個の装飾部材３０、上から２番目の装飾部材列の４個の装飾部材３０、上から３番目の装飾部材列の２個の装飾部材３０、及び、上下方向中央の装飾部材列の左側の１個の装飾部材３０を含む状態で、１枚の装飾部材連結体３００が形成されている。
又、下端の装飾部材列の５個の装飾部材３０、下から２番目の装飾部材列の４個の装飾部材３０、下から３番目の装飾部材列の２個の装飾部材３０、及び、上下方向中央の装飾部材列の右側の１個の装飾部材３０を含む状態で、１枚の装飾部材連結体３００が形成されている。
つまり、１枚の装飾用基材４０に対して、２枚の装飾部材連結体３００が設けられることになる。
【００５０】
２枚の装飾部材連結体３００としては、同一形状の部材が用いられる。つまり、装飾部材連結体３００は、基材厚さ方向Ｙ視での外形形状が、長尺状の部分の一端に突起部分を有す概略鉤状となるように構成され、この概略鉤状の２枚の装飾部材連結体３００が、点対称状に配設されることになる。
【００５１】
図４及び図５に示すように、各装飾部材３０の本体部３１の外形は、基端部から頂部３０ｔに向かって縮径する形態の概略円錐台状であり、その本体部３１の外表面は、所謂ダイヤモンドカット状に成形されている。
図５及び図６に示すように、各装飾部材３０の張り出し部３２の外形は、基材厚さ方向Ｙ視で概略円状であり、張り出し部３２同士が基材厚さ方向Ｙ視で短冊状や弧状の連結部３３にて連結されて、装飾部材連結体３００が、異形の開口部（図示せず）を多数有する多孔板状に構成されている。
【００５２】
図４に示すように、装飾部材３０の概略円錐台状の本体部３１における最も太い部分である基端部の外径は、装飾用基材４０の装飾部材挿通孔４３の内径と略同径に設定されている。
又、装飾部材３０の本体部３１における軸心方向（基材厚さ方向Ｙ）での寸法（即ち、高さ）Ｌ１は、装飾用基材４０の装飾部材挿通孔４３の長さＬ２よりも大きく、且つ、装飾用基材４０における四角台状凸部４４の最も突出した部位４４ｔでの厚さＬ３よりも小さくなるように設定されている。
従って、装飾部材３０が、その本体部３１が装飾用基材４０の装飾部材挿通孔４３に装飾用基材４０の裏面側から挿通され、且つ、その張り出し部３２が装飾用基材４０の裏面に当て付けられた状態で配設されると、本体部３１が、その頂部（即ち、装飾部材３０の頂部３０ｔ）が装飾部材挿通孔４３から突出すると共に、四角台状凸部４４の最も突出した部位４４ｔよりも引っ込む形態で配設されることになる。
【００５３】
これによって、上述のように、装飾部材３０を凹部４１内に配置させた状態で、基材厚さ方向Ｙにおいて装飾部材３０の本体部３１の頂部（即ち、装飾部材３０の頂部３０ｔ）側の一部分を、基材厚さ方向Ｙにおける凹部４１の最も窪んだ部位４１ｂとその凹部４１の周囲の四角台状凸部４４の最も突出した部位４４ｔとの間に位置させ、且つ、基材厚さ方向Ｙにおける断面視で凹凸状表面４２（凹部４１の周囲の４つの四角台状凸部４４の表面）に対して離間させてなるように構成されていることになる。
つまり、装飾部材３０を凹部４１内に配置させた状態で、装飾部材３０の本体部３１の頂部（即ち、装飾部材３０の頂部３０ｔ）側の一部分の外表面が、全周にわたって凹凸状表面４２（凹部４１の周囲の４つの四角台状凸部４４の表面）から離間するように構成されている。
【００５４】
尚、この実施形態では、装飾部材３０の本体部３１において、凹部４１の最も窪んだ部位４１ｂとその凹部４１の周囲の四角台状凸部４４の最も突出した部位４４ｔとの間に位置する一部分は、図４において、凹部４１の最も窪んだ部位４１ｂから装飾用基材４０の表面側の部分である。
又、装飾部材３０の本体部３１において、凹部４１の最も窪んだ部位４１ｂとその凹部４１の周囲の四角台状凸部４４の最も突出した部位４４ｔとの間に位置する一部分を除いた部分、即ち、図４において、凹部４１の最も窪んだ部位４１ｂから装飾用基材４０の裏面側の部分の外面は、装飾部材挿通孔４３の内面から離間している。
【００５５】
図５に示すように、反射シート６０としては、上下方向に７列の装飾部材列のうちの上方の３列の装飾部材列の全ての装飾部材３０（１１個）に対応する上方側のものと、下方の４列の装飾部材列の全ての装飾部材３０（１３個）に対応する下方側のものとの２枚が用意されている。尚、２枚の反射シート６０を区別して説明する場合、上方側のものを上方側反射シート６０ｔと記載し、下方側のものを下方側反射シート６０ｄと記載して説明する。
【００５６】
次に、装飾構造Ｄを構成する各部材の組み付け構成について説明する。
図４〜図６に示すように、装飾構造Ｄの組み付け構成は、装飾用基材４０、２枚の装飾部材連結体３００、２枚の反射シート６０、固定用台部５０、２個の固定部材７０を、前側から後側に向けて前後方向（基材厚さ方向Ｙ）に並べた状態で、各固定部材７０を通してネジ８０を装飾用基材４０に締め付ける構成となっている。尚、図６においては、２枚の反射シート６０及び固定用台部５０が省略されている。
すると、複数の装飾部材３０の本体部３１が装飾用基材４０の複数の装飾部材挿通孔４３に各別に挿通されると共に、各装飾部材３０の張り出し部３２が装飾用基材４０の裏面と固定用台部５０とにより挟持され、且つ、各反射シート６０が夫々に対応する複数の装飾部材３０の基端面に配置された状態で、装飾用基材４０、２枚の装飾部材連結体３００、２枚の反射シート６０、及び、固定用台部５０が一体的に組み付けられて、装飾構造Ｄが構成される。
【００５７】
図５及び図６に示すように、装飾部材連結体３００には、基材厚さ方向Ｙ視で十字状の複数（この実施形態では６個）の位置決め孔３４が、広範囲にわたって分散する状態で備えられている。
図６に示すように、装飾用基材４０の裏面には、装飾部材連結体３００の複数の位置決め孔３４に各別に挿通可能な横断面形状が十字状の複数の位置決め用突起４５が備えられている。
つまり、これら複数の位置決め用突起４５の配置位置は、複数の装飾部材３０の本体部３１が複数の装飾部材挿通孔４３に各別に挿通可能な相対位置関係で、装飾部材連結体３００が装飾用基材４０の裏面に配置されたときに、装飾部材連結体３００の複数の位置決め孔３４に各別に挿通可能なように配置位置となっている。
【００５８】
更に、図６に示すように、装飾用基材４０の裏面には、２個のネジ穴付きボス部４６、４個の鉤状係合部４７、３個の引っ掛け部４８及び１個の孔付突起部４９が、いずれも裏面側に突出する状態で備えられている。
２個のネジ穴付きボス部４６は、装飾用基材４０の裏面の下方側の箇所に、横方向に並べて備えられている。
４個の鉤状係合部４７は、鉤部分が下向きとなる姿勢で、長方形の４箇所の角部に分散配置された状態で備えられている。
３個の引っ掛け部４８は、下向きの鉤状部分を備えた形状で、装飾用基材４０の裏面の上端縁部に沿って並べて備えられている。
孔付突起部４９は、孔が上下方向に貫通する姿勢で、装飾用基材４０の裏面の下端縁部の略中央に備えられている。
【００５９】
図５に示すように、固定用台部５０には、装飾用基材４０の２個のネジ穴付きボス部４６を各別に挿通可能な２個のボス挿通開口５１、４個の鉤状係合部４７を各別に係合可能な４個の係合窓５２、３個の引っ掛け部４８を各別に係合可能な３個の下向き凹部５３、及び、孔付突起部４９を挿通可能な固定孔５４が設けられている。
そして、装飾用基材４０を、２個のネジ穴付きボス部４６を２個のボス挿通開口５１に各別に挿通し、４個の鉤状係合部４７を４個の係合窓５２に各別に挿通し、及び、孔付突起部４９を固定孔５４に挿通した状態で、固定用台部５０の前面に当て付けて配置する。そして、装飾用基材４０を下方に移動させると、４個の鉤状係合部４７が４個の係合窓５２の開口部の下端縁部に各別に嵌まり込み、３個の引っ掛け部４８が３個の下向き凹部５３に各別に嵌まり込んで、装飾用基材４０が、固定用台部５０の前面に、所定位置に位置決めされる。
【００６０】
２枚の反射シート６０は、夫々、固定用台部５０の前面に貼着され、下方側反射シート６０ｄには、固定用台部５０の２個のボス挿通開口５１に各別に合わさる２個のボス挿通開口６１、及び、４個の係合窓５２のうちの下方の２個の係合窓５２を各別に臨ませる２個の切り欠き６２が設けられている。
ちなみに、固定用台部５０の上方の２個の係合窓５２は、上方側反射シート６０ｔと下方側反射シート６０ｄとの間に形成される隙間に臨まされる。
【００６１】
図４及び図６に示すように、固定部材７０は、軸芯が基材厚さ方向Ｙに沿う形態の有底筒状部７１の開口縁部に、その有底筒状部７１の軸心方向に直交する方向、即ち、基材面方向Ｘに張り出す延出部７２を備えた形状に構成され、有底筒状部７１の底部には、ネジ挿通孔７３が設けられている。
この固定部材７０の有底筒状部７１には、装飾用基材４０のネジ穴付きボス部４６を挿通可能であり、この固定部材７０をその有底筒状部７１に装飾用基材４０のネジ穴付きボス部４６を挿通させた状態で配置すると、固定部材７０の延出部７２の前面が固定用台部５０の裏面に当接可能となるように構成されている。
【００６２】
次に、図５及び図６に基づいて、装飾構造Ｄを構成する各部材を組み付ける手順について、説明する。
先ず、２枚の装飾部材連結体３００を、夫々の複数の位置決め孔３４に、装飾用基材４０の裏面の複数の位置決め用突起４５を各別に挿通させて、装飾用基材４０の裏面に当接させた状態で配設する。すると、２枚の装飾部材連結体３００が、夫々の複数の装飾部材３０の本体部３１が装飾用基材４０の複数の装飾部材挿通孔４３に各別に挿通された状態で、装飾用基材４０の裏面に位置決めされる。
又、固定用台部５０の前面に、２枚の反射シート６０を、夫々に対応する位置に位置決めして貼着する。
【００６３】
次いで、裏面に２枚の装飾部材連結体３００が位置決めされた装飾用基材４０を、その２個のネジ穴付きボス部４６を２個のボス挿通開口５１に各別に挿通し、４個の鉤状係合部４７を４個の係合窓５２に各別に挿通し、及び、孔付突起部４９を固定孔５４に挿通した状態で、固定用台部５０の前面に当て付けて配置する。そして、装飾用基材４０を下方に移動させると、４個の鉤状係合部４７が４個の係合窓５２の開口部の下端縁部に各別に嵌まり込み、３個の引っ掛け部４８が３個の下向き凹部５３に各別に嵌まり込んで、装飾用基材４０が、固定用台部５０の前面の所定位置に位置決めされる。
【００６４】
次いで、２個の固定部材７０夫々を、固定用台部５０の裏面側から、夫々の有底筒状部７１に装飾用基材４０のネジ穴付きボス部４６を挿通させた形態で配設する。
そして、ネジ８０（図４参照）を、固定部材７０のネジ挿通孔７３を通してネジ穴付きボス部４６のネジ穴に締め付ける。すると、図４に示すように、固定部材７０の延出部７２の前面が固定用台部５０の裏面に当接した状態で、２枚の装飾部材連結体３００夫々が装飾用基材４０と固定用台部５０とにより挟持される。
【００６５】
図４に示すように、上述のような装飾構造Ｄによると、装飾部材３０の本体部３１を装飾用基材４０の装飾部材挿通孔４３に挿通させて、装飾部材３０を装飾用基材４０の凹部４１内に配置させた状態では、装飾部材３０における基材厚さ方向Ｙの頂部３０ｔ側の一部分（即ち、本体部３１の頂部側の一部分）が、基材厚さ方向Ｙにおける凹部４１の最も窪んだ部位４１ｂとその凹部４１の周囲の四角台状凸部４４における最も突出した部位４４ｔとの間に位置している、換言すれば、装飾部材３０の頂部３０ｔが、その装飾部材３０が配置された凹部４１の周囲の四角台状凸部４４における最も突出した部位４４ｔよりも低くなっている。従って、装飾用基材４０の表面に手指や他物が接触しても、手指や他物が装飾部材３０に接触するのを十分に抑制することができるので、装飾部材３０が欠けたり脱落したりするのを十分に抑制することができる。
【００６６】
又、装飾部材３０を装飾用基材４０の凹部４１内に配置させた状態では、装飾部材３０における基材厚さ方向Ｙの頂部３０ｔ側の一部分（即ち、本体部３１の頂部側の一部分）が、基材厚さ方向Ｙにおける断面視で凹凸状表面４２に対して離間している、即ち、本体部３１の頂部側の一部分の外表面が全周にわたって凹凸状表面４２から離間している。しかも、凹部４１は、基材厚さ方向Ｙにおいて装飾用基材４０の表面側ほど拡がる形態である。従って、凹部４１内に光が入り易く、又、装飾部材３０における凹凸状表面４２から離間している本体部４１の頂部側の一部分が光を受け易いため、装飾部材３０の輝きを増大させることができるので、装飾性を高めることができる。
【００６７】
更に、装飾部材３０を装飾用基材４０の凹部４１内に配置させる際、装飾部材３０の頂部３０ｔがその装飾部材３０が配置された凹部４１の周囲の四角台状凸部４４における最も突出した部位４４ｔよりも低くなる条件で、装飾部材３０を装飾用基材４０の凹部４１内に配置させるので、凹部４１の最も窪んだ部位４１ｂに対する周囲の四角台状凸部４４における最も突出した部位４４ｔの高さに制約をなくすことができる。
そこで、装飾用基材４０の表面に、例えば、上述のように複数の四角台状凸部４４を格子状に形成する形態で、装飾用基材４０の表面に、高低差が比較的大きい装飾用の凹凸を格子状に設けことができる。そして、各凹部４１内に装飾部材３０を配置するので、装飾性を一段と向上することができる。
【００６８】
〔別実施形態〕
（Ａ）装飾部材３０を装飾用基材４０の凹部４１内に配置させるに当たって、その配置形態（固着構成、配置位置等）は、上記の実施形態に例示した配置形態に限定されるものではない。
（Ａ−１）例えば、上記の実施形態では、装飾用基材４０の凹部４１の最も窪んだ部位４１ｂに、基材厚さ方向Ｙに貫通する装飾部材挿通孔４３が設けられ、本体部３１と張り出し部３２とを備えた装飾部材３０が、本体部３１が装飾用基材４０の裏面側から装飾部材挿通孔４３に挿通され、且つ、張り出し部３２が装飾用基材４０の裏面側と固定用台部５０との間で挟持された固着構成とした。これに代えて、図７に示すように、装飾部材３０を装飾用基材４０の凹部４１の最も窪んだ部位４１ｂに接着材により接着する固着構成としても良い。この場合、凹部４１の最も窪んだ部位４１ｂに、上記の実施形態の如き装飾部材挿通孔４３は設けず、代わりに、底面が平面状の窪み部４１ｃを設け、この窪み部４１ｃ内に、装飾部材３０を接着材により接着した状態で配置する。又、装飾部材３０は、上記の実施形態の如き本体部３１のみからなる形状とする。
尚、図７に示す別実施形態では、装飾部材３０において、凹部４１の最も窪んだ部位４１ｂとその凹部４１の周囲の四角台状凸部４４の最も突出した部位４４ｔとの間に位置する一部分は、図７において、凹部４１の最も窪んだ部位４１ｂから装飾用基材４０の表面側の部分である。
【００６９】
（Ａ−２）これと同様に、装飾部材３０を、上記の実施形態の如き本体部３１のみからなる形状として、図８に示すように、装飾部材３０を、装飾部材挿通孔４３内に配置した状態で、装飾用基材４０の裏面側の固定用台部５０に接着する固着構成としても良い。この場合も、装飾部材挿通孔４３は、装飾用基材４０の凹部４１の最も窪んだ部位４１ｂに設けられている。尚、図８に示す別実施形態でも、装飾部材３０において、凹部４１の最も窪んだ部位４１ｂとその凹部４１の周囲の四角台状凸部４４の最も突出した部位４４ｔとの間に位置する一部分は、図８において、凹部４１の最も窪んだ部位４１ｂから装飾用基材４０の表面側の部分である。
【００７０】
（Ａ−３）又、凹部４１の最も窪んだ部位４１ｂに、装飾部材挿通孔４３を設ける場合に、上記の実施形態では、図４に示すように、装飾用基材４０の凹凸状表面４２を、装飾部材挿通孔４３の開口縁が凹部４１の最も窪んだ部位４１ｂよりも高い部位に位置する状態となる形態で形成したが、図９に示すように、装飾用基材４０の凹凸状表面４２を、装飾部材挿通孔４３の開口縁が凹部４１の最も窪んだ部位４１ｂに位置するように形成しても良い。
この場合、上記の実施形態と同様に、装飾部材３０を、その本体部３１が装飾用基材４０の装飾部材挿通孔４３に装飾用基材４０の裏面側から挿通され、且つ、その張り出し部３２が装飾用基材４０の裏面に当て付けられた状態で配設すると、本体部３１の全体を、基材厚さ方向Ｙにおける凹部４１の最も窪んだ部位４１ｂとその凹部４１の周囲の四角台状凸部４４における最も突出した部位４４ｔとの間に位置させ、且つ、基材厚さ方向Ｙにおける断面視で凹凸状表面４２に対して離間させてなるように構成される。
【００７１】
（Ａ−４）又、上記の実施形態では、装飾部材３０を、装飾用基材４０の凹部４１の最も窪んだ部位４１ｂに配置したが、図１０に示すように、最も窪んだ部位４１ｂに配置しなくても良い。この場合、装飾部材３０の固着構成は、図１０に示すように、図７に示す別実施形態と同様に、接着材により接着する固着構成としても良いし、図示を省略するが、上記の実施形態と同様の固着構成としても良い。尚、図１０に示す別実施形態では、凹部４１において、最も窪んだ部位４１ｂよりも高い部位に、底面が平面状の窪み部４１ｃを設け、この窪み部４１ｃ内に、装飾部材３０が接着材により接着した状態で配置する。
【００７２】
（Ａ−５）上記の実施形態では、複数の四角台状凸部４４が格子状に並ぶ格子の各格子点Ｐに、装飾部材３０を配置したが、各格子点Ｐ以外の箇所、例えば、格子の対角に位置する格子点Ｐを結ぶ対角線に対応する稜線上に、装飾部材３０を配置しても良い。
【００７３】
（Ｂ）装飾用基材４０の表面に複数の装飾部材３０を配置するに際し、その配置数や配置形態は、上記の実施形態の如き配置数や配置形態に限定されるものではない。例えば、複数の装飾部材３０を、所定の図形を描く如き形態で配置しても良い。この場合、複数の凹部４１は、複数の装飾部材３０の配置形態に対応した配置形態で設けることになる。
又、装飾用基材４０の表面に格子状に凹凸を設けるに当たって、基材厚さ方向Ｙ視での四角台状凸部４４の形状は、上記の実施形態のように正方形状に限定されるものではなく、平行四辺形や菱形形状でも良い。
【００７４】
（Ｃ）１枚の装飾用基材４０に対する装飾部材連結体３００の配置枚数や配置形態は、上記の実施形態の如き配置枚数や配置形態に限定されるものではない。
例えば、１枚の装飾用基材４０に対する装飾部材連結体３００の配置枚数は、上記の実施形態では、２枚としたが、１枚でも３枚以上でも良い。
又、１枚の装飾用基材４０に対して複数枚の装飾部材連結体３００を設けるに当たって、上記の実施形態では、装飾部材連結体３００の形状を同一としたが、異ならせても良い。
【００７５】
（Ｄ）装飾部材３０において、基材厚さ方向Ｙにおける凹部４１の最も窪んだ部位４１ｂとその凹部４１の周囲の四角台状凸部４４における最も突出した部位４４ｔとの間に位置させる頂部３０ｔ側の部分（上記の実施形態では、本体部３１）の外形形状は、上記の実施形態の如き、概略円錐台状に限定されるものではなく、例えば、三角錐台状や、四角錐台状でもよい。
【００７６】
（Ｅ）凹部４１の形状は、上記の実施形態の如き形状に限定されるものではなく、例えば、漏斗状の如き形状でもよい。
【００７７】
（Ｆ）装飾部材３０の厚さ方向における頂部３０ｔ側とは反対側の端面に、蒸着等により薄膜状の反射膜を形成して、この反射膜により反射部を構成しても良い。
又、装飾部材３０における頂部３０ｔ側とは反対側の端面に反射部を設けるに当たって、上記の実施形態では、装飾部材連結体３００の裏面全体にわたって設けたが、装飾部材３０における頂部３０ｔ側とは反対側の端面において、本体部３１に対応する部分のみに設けても良い。
【００７８】
（Ｇ）本発明を適用した装飾構造Ｄは、上記の実施形態で例示した加湿器Ｈ以外に、種々の家電機器、例えば、電気ケトル、電気ポット等の外郭に配設することができる。
又、本発明を適用した装飾構造Ｄを外郭に配設可能な装飾対象物の例としては、上記の実施形態で例示した家電機器（具体的には、加湿器Ｈ）に限定されるものではなく、マグボトル等の飲料用容器、携帯電話等が挙げられる。
【００７９】
尚、上記の実施形態（別実施形態を含む、以下同じ）で開示される構成は、矛盾が生じない限り、他の実施形態で開示される構成と組み合わせて適用することが可能であり、又、本明細書において開示された実施形態は例示であって、本発明の実施形態はこれに限定されず、本発明の目的を逸脱しない範囲内で適宜改変することが可能である。
【産業上の利用可能性】
【００８０】
以上説明したように、装飾部材が欠けたり脱落するのを抑制しながら、装飾性を向上し得る装飾構造、及び、その装飾構造が配設された家電機器を提供することができる。
【符号の説明】
【００８１】
３０    装飾部材
３１    本体部
３２    張り出し部
３０ｔ  頂部
４０    装飾用基材
４１    凹部
４１ｂ  最も窪んだ部位
４２    凹凸状表面
４３    装飾部材挿通孔
４４    四角台状凸部（凸部）
４４ｔ  最も突出した部位
５０    固定用台部
６０    反射シート（反射部）
３００  装飾部材連結体
Ｄ      装飾構造
Ｈ      加湿器（家電機器）
Ｐ      格子点
【図１】
2014226782.tif 000003
【図２】
2014226782.tif 000004
【図３】
2014226782.tif 000005
【図４】
2014226782.tif 000006
【図５】
2014226782.tif 000007
【図６】
2014226782.tif 000008
【図７】
2014226782.tif 000009
【図８】
2014226782.tif 000010
【図９】
2014226782.tif 000011
【図１０】
2014226782.tif 000012